(57)【要約】【課題】催物会場における従来の小旗方式と同様の設備を使用して、小旗方式以上に遠くからも視認でき、催物会場の来場者に新奇な印象感覚を引き起こす広告宣伝媒体を提供する。【解決手段】従来と同様の支柱を使用して、支柱上部からロープを東西南北の任意な方向に伸張し、固定する。ロープには、風力による揚力または上昇気流による上昇力が生ずると、ロープに沿って上昇・浮揚し得る傘状体の風中浮遊体を貫通取り付けする。また、ロープを回転制御できる装置を設ける。さらに、繰り出し可能な構造のロープの端部に風中浮遊体を取り付けて支柱上部からぶら下げ、風中浮遊体を凧のように空高く飛翔させる。【選択図】    図１
2007286222.tif 000002
【特許請求の範囲】
【請求項１】
中央に芯材として中空棒を有する風中浮遊体であって、該中空棒には棒材あるいは伸張されたロープが貫通し、該風中浮遊体は該棒材あるいは該ロープに沿って自在に滑動しながら上昇・下降すること、を特徴とする風中浮遊体。
【請求項２】
請求項１記載の発明において、支柱から斜めに伸張されたロープが、支柱を中心して回転し得るようにしたこと、を特徴とする風中浮遊体。
【請求項３】
支柱から斜めに伸張された幹線の中間にさらに単数または複数の任意の長さの枝線を設け、該枝線に風中浮遊体をぶら下げたこと、を特徴とする風中浮遊体。
【請求項４】
ロープの一端に重錘またはおよびばね、他端に風中浮遊体を取り付け、重錘またはおよびばねを管からなる支柱の管内部に納め、風中浮遊体を支柱上部に設けた輪状支持部材を介してぶら下げたこと、を特徴とする風中浮遊体。
【発明の詳細な説明】
【技術分野】
【０００１】
催物会場等で宣伝用に使用する風中浮遊体に関する。
【背景技術】
【０００２】
催物・展示の開催を遠望からも見えるようにする宣伝手段として、アドバルーンや旗等が用いられているが、特に催物会場では大小様々な旗が多用され、旗に催物の内容を表示するとともに、旗をはためかせて催物会場の雰囲気を盛り上げている。
中でも、高い鉄柱等から四方に張りめぐらされたロープに多数取り付けられた小旗（以下「小旗方式」という。）は、遠くからも眺望され、催物の開催を知らせる常套手段となっていて、小旗を遠望した者に来場を促がし・心を弾ませる有力な宣伝広告媒体となっている。
【０００３】
しかし、この小旗方式は、従来から催物会場で常時使用されてきた極めてありふれた方式となって慢性化しているため、上記のような効果を有するものの、特段に目新しいものではないことから、来場者に新奇な印象感覚を惹起させるものではなく、特に小旗の近傍では振り向きもされず看過されてしまっているのが現状である。
【０００４】
本願発明者は、この点に鑑み、遠望の効果として小旗方式以上のものを有し、来場した者に「おやっ」と思わせるような心を引く新奇な魅力ある広告宣伝方法はないかと考え、本願発明を想到するに至ったものである。
【０００５】
【特許文献１】特許電子図書館の公報テキスト検索（公開特許公報）で、以下の条件で検索したが、該当すると思料できるものはありません。                                    「ＩＰＣ」            Ｇ０９Ｆ  １９／００                          ＡＮＤ  「要約と請求の範囲」  「傘  雨傘」                                  ＡＮＤ  「要約と請求の範囲」  「催  イベント」                                        発見された件数は、    ０件
【発明の開示】
【発明が解決しようとする課題】
【０００６】
従来の小旗方式と同様の設備を使用して、遠くからも視認でき、催物の開催を知らせる遠望からの認識効果が小旗方式以上のものとなる広告宣伝媒体を提供する。
【０００７】
催物会場の来場者に、新奇な印象感覚を惹起させ得る奇抜な動きを見せる広告宣伝媒体を提供する。
【課題を解決するための手段】
【０００８】
従来の小旗方式と同様の設備を使用し、小旗の替りに風中浮遊体（以下「傘状体」ともいう。）を使用し、ロープあるいは棒状支柱を用い、風中浮遊体は風力の強弱・風向に従ってロープあるいは棒状支柱を自在に滑動しながら上昇・下降するようにした。
【０００９】
さらに、支柱から斜めに張られたロープを支柱を中心として回転制御できるようにし、風中浮遊体の上下移動の動きに加え水平移動の動きを積極的に与えて、一層複雑な動きを風中浮遊体に表現させるようにした。
【００１０】
また、支柱から斜めに伸張された幹線の中間にさらに単数または複数の任意の長さの枝線を設け、該枝線に風中浮遊体をぶら下げ、風中浮遊体は風力の強弱・風向に従って、上下に自在に上昇・下降し、東西南北に自在に移動し、さらに枝線が幹線回りを回転し得るようにした。
【００１１】
さらに、ロープの一端に重錘またはおよびばね、他端に風中浮遊体を取り付け、重錘またはおよびばねを管からなる支柱の管内部に納め、風中浮遊体のロープの繰り出し長さが、風力の強弱によって重錘が支柱の内部で上下することによりまたはばねが伸縮することにより、長短するようにし、風力の強弱・風向に従って、上下に自在に上昇・下降し、東西南北に自在に移動し得るようにした。
【発明の効果】
【００１２】
自然現象として発生する風を浮揚の原動力とすることから、風中浮遊体の上昇・下降は人為的な動きではない不規則（ランダム）な動きとなり、来場者の目を引き易い。
【００１３】
特に、請求項３記載の幹線の中間にさらに枝線を設けて、該枝線に風中浮遊体をぶら下げる型式のものでは、風中浮遊体は東西南北・上下方向に全く不規則に浮揚・下降し幹線回りを回転することになり、来場者に新奇・奇異な印象感覚を来場者に抱かせることが可能である。
【００１４】
特に、請求項４記載のロープの一端に重錘（ばね）を設けて重錘（ばね）を管からなる支柱の管内部に納め、風中浮遊体をぶら下げる型式のものでは、風中浮遊体は支柱の回りに遠近・上下に全く不規則に浮揚・下降することになり、さらに、風力が強くなるとロープが繰り出され、凧のように支柱よりも高く浮遊し、自然に委ねた優雅な動きをすることから、来場者に一層新奇・奇異な印象感覚を来場者に抱かせることが可能である。
【００１５】
風中浮遊体には傘状体が多用されるが、傘状体は本来軽量なものであり従来の材質のものをそのまま使用することもできるが、さらに軽量化を図ることにより、一層微弱な風速の場合でも風中浮遊体を浮揚させることができる。
【００１６】
傘状体を風中浮遊体とした場合は、昼間は上昇気流を利用できることから、浮揚しない時間・動揺しない時間を極めて少なくすることができる。
【００１７】
多数の風中浮遊体がある場合、風中浮遊体は東西南北の配置によって風向の影響が異なることから、浮揚の度合が一層不規則なものとなり、来場者の注意を引き付け易い。
【００１８】
風中浮遊体は、従来の小旗に比べて大きなものとすることができるから、広告宣伝を浮遊体に書き込むことができ、広告宣伝効果も大きい。
【００１９】
従来の小旗方式は風にはためくことから、広告を読み取りにくいが、本願発明の風中浮遊体ははためくことが少ないことから、来場者は広告を即座に読み取ることができるという読み取り効果が格段に優れている。
【００２０】
請求項１記載の発明品のうち、棒状の支柱に風中浮遊体を上下に上昇・下降するように風中浮遊体を設けまた風中浮遊体を棒状の支柱回りに回転するようにした場合（図５）は、風中浮遊体は適宜回転しながら不規則に上昇・下降し、また、斜めに伸張されたロープを風中浮遊体が上昇・下降するように設けた場合（図１）は、複数のロープがこれも傘の骨状に張られることから、不規則に上昇・下降する風中浮遊体を全体のまとまりとして見た場合には、上下方向に、ある程度の規則性も視認され、不規則性の中に存在する規則性が来場者の注目を一層高める効果がある。
さらに、支柱から斜めに伸張されたロープが、支柱を中心して回転し得るようにした場合は、上記風中浮遊体の動きに加えて全体として新たな不規則性あるいは規則性を与えて一層新奇・複雑な動きであることを来場者に印象付けることができる。
【００２１】
なお、本願発明は屋外は勿論、屋内においても使用でき、また小型化すれば遊戯具・玩具としても応用できる。
【００２２】
また、ＬＥＤ等の照明装置を備えれば、夜間にも使用可能で、一層の宣伝効果を発揮させることができる。
【発明を実施するための最良の形態】
【００２３】
図１は、請求項１記載の発明の実施状況を示す外観図である。
図２は、請求項２記載の発明の実施状況を示す外観図である。
図３は、請求項３記載の発明の実施状況を示す外観の部分図である。
図４は、請求項４記載の発明の実施状況を示す外観図である。
図５は、請求項１記載の発明の実施状況を示す外観図であって、ロープの替りに棒材を使って空中浮揚体を上下する場合の外観図である。
【００２４】
図１に示す実施例では、任意数のロープ２０が支柱１０の上部から東西南北の任意な方向に伸張・固定され、各々のロープには風中浮遊体３０がロープに沿って自在に滑動し得るように貫通取り付けされている。
支柱には、一本の柱状のものが多用されるが、塔状の建築物、ビル等の高層の建物、樹木が利用できる。
【００２５】
図２に示す実施例は、支柱１０の上部に支柱回りに回転自在な上部腕状部材１２を設け、さらに支柱下部に下部腕状部材１４を設けて該下部腕状部材を支柱回りに回転制御することにより、ロープ２０を回転させるものである。回転装置（図示省略）としてはギヤドモータ等が使用される。
また、支柱中間部に中間腕状部材１６を設けて下部腕状部材を補強してもよい。
なお、支柱回りの回転をランダムな回転をするようにすると、来場者には一層奇異な印象感覚を惹起させることができる。
【００２６】
図３に示す実施例は、ロープ２０を幹線として、幹線の中間部に枝線２２を設けてその端部に空中浮揚体３０をぶら下げたものである。
この場合、枝線は幹線の回りを回転することもあることから、図１０に示すように、枝線は幹線の回りを自在に回転するようにしておくことが必要である。
【００２７】
図４に示す実施例は、ロープ２４の一端に重錘またはおよびばね（図示省略）、他端に風中浮遊体３０を取り付け、重錘またはおよびばねを管からなる支柱１０の管内部にぶら下げて納め（図示省略）、ロープ他端に取り付けた風中浮遊体を、支柱１０の上部に輪状支持部材１３を介してぶら下げたものである。
なお、図４は、風中浮遊体が一つの場合の動きを示したものである。
輪状支持部材の張出長さは、風中浮遊体が支柱と衝突しない十分な長さとする。この場合、ロープの一端に重錘（ばね）を取り付け支柱内にぶら下げたことにより、風力が強くなるとロープが繰り出され、凧のように支柱の高さよりも高く浮遊させることが可能である（４図）。
なお、本実施例では支柱上部の輪状支持部材として円環状の支持部材を使用したが、多角形形状の支持部材を使用することもできる。
【００２８】
図５は、空中浮揚体３０を、ロープ２０に貫通取り付けする（図１）替りに、棒状支柱１１に貫通取り付けした実施例である。
この場合は、一の空中浮揚体を棒状支柱に貫通取り付けすることは勿論のこと、２以上の空中浮揚体を一括りにしたものを棒状支柱に貫通取り付けすることができ、この場合は一層新規複雑な動きを来場者に印象付けることができる（図５）。
【００２９】
図６に、傘状体の風中浮遊体３０の端的な実施例を示す。
風中浮遊体の中央部には芯材としての中空棒３２が設けられており、中空棒には、通常の雨傘のように、傘骨３４・傘布３６・傘骨支え３８が設けられていて、傘として展張・固定されるようになっている。中空棒には、ロープ２０が貫通していて、風中浮遊体に風力による揚力または上昇気流による上昇力が生ずると、風中浮遊体はロープに沿って上昇・浮揚し、また風力が弱まって揚力または上昇気流による上昇力が減少すると風中浮遊体は下降する。
なお、図例では、傘骨１本に傘骨支えが１本の場合を図示しているが、傘状体の大きさによっては傘骨１本に傘骨支えを複数本としても良い（図示省略）。
また、傘骨を３本・４本等とすることにより、三角・四角等の傘状体にすることができ（図示省略）、さらに、傘布の生地の目の粗細を適宜選択することにより、また傘布に三角形・円形等の開口を適宜設けて風中浮遊体の揚力や回転等の動きを制御することができる（図７）。
【００３０】
風中浮遊体の形状は、上述のように、傘状体を通常の雨傘の使用状態に準じて使用するのが通例である（図１）が、通常の雨傘の使用状態とは逆にして使用することもでき、両者を合わせて使用することもできる（図８）。
また、一つの中空棒３２に、傘骨３４・傘布３６・傘骨支え３８の組を複数組設けて、多段の傘状としても良く（図示省略）、一つの中空棒を中心に複数の傘状体を平面的並べて取り付けても良い（図５相当）。さらに、傘状体の他に、楕円体を使用することもできる（図９）。
【００３１】
ぶら下げる型式の風中浮遊体には、上述の風中浮遊体３０を流用し、中空棒３２の端部を枝線２２の端部と結合するのが望ましいが、中空棒を使用しない方式としても良い。
【００３２】
風中浮遊体３０としての上昇・浮揚の効果を高めるためには、風中浮遊体は軽量であることが望ましい。
しかし、風中浮遊体として風力に耐えうるにはそれ相当の強度を必要とすることから、傘骨３４・傘骨支え３８の数量と材質、傘布３６の材質と布厚等には自ずと限界があり、一般には、傘骨・傘骨支えにはアルミ材、傘布には、染色性・印刷性を考慮して、不織布・綿布・絹布・プラスチックの薄膜等が用いられる。
また、傘布・傘骨・傘骨支えの構造を、平板発泡プラスチックを傘布として用い、さらに角材発泡プラスチックを傘骨・傘骨支えに変わる補強材として用いた構造としても良い（図示省略）。
【００３３】
また、傘布３６に凸起を設けて（図示省略）、かざ車のように意図的に回転させることもできる。
【００３４】
本願発明の場合においては、ロープ２０を弛まないように伸張する必要があり、このため、伸張しても弛みを生じ易い単線の金属線よりも、複数本の織糸線・金属線をよりあわせたものの方が望ましく、通常は鋼索が用いられる。
索のよりは、「Ｓより」「Ｚより」のいずれでもよいが、風中浮遊体３０のロープ回りの回転を重視する場合には、両者を使い分けることもできる。
この場合、中空棒３２の中空部分に、溝または凸起を設けて（図示省略）風中浮遊体の回転を促進させてもよい。
なお、本願明細書では、金属線・織糸索・金属索を含めてロープと総称する。
【００３５】
図１に実施例として示す請求項１記載の発明において、支柱として樹木を利用した場合は、樹木が風によって大きく揺れるので、斜めに張られたロープ２０の一端にコイルばね等の張力調整装置を設けて、ロープの張力を調整することが望ましい。
【００３６】
枝線２２・ロープ２４には、非金属性のロープを使用することもできる。
【産業上の利用可能性】
【００３７】
本願発明は、新奇・奇抜な動きを示す広告宣伝媒体であり、催物会場への来場者に新奇な印象感覚を抱かせることができることから、新奇な広告宣伝媒体として産業上の利用可能性は高い。
【００３８】
また、本願発明は、簡易な装置であって風中浮遊体には広告を記載することができ、視認され易いことから、宣伝効果は大きく、広告宣伝業界での利用可能性は極めて高いものである。
【００３９】
さらに、本願発明は、催物会場が異なれば流用できるものであり、また、少ない資材で実施でき、一般商店でも手軽に利用できるものであるから利用範囲は広く、経済の発展に寄与し得る点においても、産業上の可能性は高いものである。
【図面の簡単な説明】
【００４０】
【図１】請求項１記載の発明の実施状況を示す外観図である。
【図２】請求項２記載の発明の実施状況を示す外観図である。
【図３】請求項３記載の発明の実施状況を示す外観図である。
【図４】請求項４記載の発明の実施状況を示す外観図である。
【図５】請求項１記載の発明の実施状況を示す図であって、ロープの替りに棒材を使って空中浮揚体を上下する場合の正面図および側面図である。
【図６】空中浮揚体の一例である傘状体の断面図である。
【図７】傘布に開けた開口を示す平面図である。
【図８】傘状体を２個使用した空中浮揚体を示す側面図である。
【図９】楕円体の空中浮揚体を示す側面図である。
【図１０】ロープ（幹線）の回りを枝線が自在に回転できるようにした実施例を示す断面図である。
【符号の説明】
【００４１】
１０        支柱                          ３０        風中浮遊体
１１        棒状支柱    
１２        上部腕状部材                  ３２        中空棒
１３        輪状支持部材                  ３４        傘骨
１４        下部腕状部材                  ３６        傘布
１６        中間腕状部材                  ３８        傘骨支え
２０        ロープ（その１、幹線）
２２        枝線
２４        ロープ（その２）
【図１】
2007286222.tif 000003
【図２】
2007286222.tif 000004
【図３】
2007286222.tif 000005
【図４】
2007286222.tif 000006
【図５】
2007286222.tif 000007
【図６】
2007286222.tif 000008
【図７】
2007286222.tif 000009
【図８】
2007286222.tif 000010
【図９】
2007286222.tif 000011
【図１０】
2007286222.tif 000012